(57)【特許請求の範囲】
【請求項１】
患者の声を音声として入力する子機マイクロホンと、前記患者と通話を行う医療従事者の声を音声として出力する子機スピーカーとを有するナースコール子機と、
前記患者の声を音声として出力する親機スピーカーと、前記医療従事者の声を音声として入力する親機マイクロホンと、前記ナースコール子機との通話路を形成する通話路形成部と、前記通話路形成部により通話路が形成されているナースコール子機の子機マイクロホンが入力する音声の音量の値を示す子機音量値を調整するために操作される子機音量設定部と、前記子機音量値の標準値を記憶する記憶部と、前記子機音量値が前記記憶部に記憶されている標準値以上であるか標準値以下であるかをナースコール子機毎に判定する判定部と、前記子機音量値と前記記憶部に記憶されている標準値との差分をナースコール毎に演算して差分平均値を演算する演算部と、前記子機音量値が前記標準値以上であると前記判定部にて判定したナースコール子機が所定の割合以上となった場合に、前記親機スピーカーから出力される音声の音量の値を示す親機音量値を前記演算部にて得られた差分平均値だけ高くし、前記子機音量値が標準値以上の子機マイクロホンの子機音量値を標準値として、前記子機音量値が標準値未満の子機マイクロホンの子機音量値を前記差分平均値だけ低くするとともに、前記子機音量値が前記標準値以下であると前記判定部にて判定したナースコール子機が所定の割合以上となった場合に、前記演算部にて得られた差分平均値だけ前記親機音量値を低くし、前記子機音量値が標準値以下の子機マイクロホンの子機音量値を標準値として、前記子機音量値が標準値を超える子機マイクロホンの子機音量値を前記差分平均値だけ高くする親機制御部とを有するナースコール親機と、
を備えたことを特徴とするナースコールシステム。
【請求項２】
前記ナースコール親機は、前記親機音量値を調整するために操作される親機音量設定部と、前記親機音量設定部の操作を促す提示を行う提示部とを備え、
前記親機制御部は、前記子機音量値が前記標準値以上であると前記判定部にて判定したナースコール子機が所定の割合以上となった場合に、前記提示部を制御して親機音量値を高く調整するように促す提示を行い、この状態で前記親機音量設定部により親機音量値が高く調整されると、前記演算部にて得られた差分平均値だけ前記親機音量値を高くし、前記子機音量値が標準値以上の子機マイクロホンの子機音量値を標準値として、前記子機音量値が標準値未満の子機マイクロホンの子機音量値を前記差分平均値だけ低くするとともに、前記子機音量値が前記標準値以下であると前記判定部にて判定したナースコール子機が所定の割合以上となった場合に、前記提示部を制御して親機音量値を低く調整するように促す提示を行い、この状態で前記親機音量設定部により親機音量値が低く調整されると、前記演算部にて得られた差分平均値だけ前記親機音量値を低くし、前記子機音量値が標準値以下の子機マイクロホンの子機音量値を標準値として、前記子機音量値が標準値を超える子機マイクロホンの子機音量値を前記差分平均値だけ高くすることを特徴とする請求項１に記載のナースコールシステム。
【発明の詳細な説明】
【技術分野】
【０００１】
本発明は、患者から看護師などの医療従事者を呼び出して、呼び出しに応答した医療従事者と患者との間で通話を行うナースコールシステムに関する。
【背景技術】
【０００２】
一般的に、ナースコールシステムは、呼出ボタンを有するナースコール子機を各病室内の各病床の近傍に設置するとともに、看護師などの医療従事者が常駐するナースステーションにナースコール親機を設置している。そして、患者がナースコール子機の呼出ボタンを操作した場合に、ナースコール子機からナースコール親機へ呼出信号を出力し、ナースコール親機にて呼び出しを報知するように構成されている。ここで、ナースコールシステムは、病院だけではなく、介護施設などでも使用される。
【０００３】
ナースコール親機にて呼び出しが報知されると、これに気付いた医療従事者が応答する必要がある。そのため、ナースコール親機には、呼び出しに応答するためのハンドセットが設けられている。呼び出しが報知されている場合に、医療従事者がハンドセットをオフフックすると、報知が停止し、ナースコール親機とナースコール子機との間で通話路が形成される。ナースコール子機には、通話用のスピーカーやマイクロホンが設けられているため、患者と医療従事者との間で通話が可能となる。
【０００４】
このように、ナースコール親機とナースコール子機との間で通話路が形成されると、患者と医療従事者との間で会話が行われるが、ナースコール親機には複数のナースコール子機が接続されているため、医療従事者が会話する患者も多様となる。すなわち、声の小さい患者も居れば、声の大きい患者も居ることになる。そのため、医療従事者にとって、声の小さい患者の声は聞き取り難くなり、声の大きい患者の声はうるさく感じてしまうという問題があった。
【０００５】
このような問題を解決するための技術として、声の小さい患者と会話する場合に、医療従事者が音量を大きく設定することで、ナースコール親機のスピーカーから出力される音声の大きさを大きく調整し、声の大きい患者と会話する場合に、医療従事者が音量を小さく設定することで、ナースコール親機のスピーカーから出力される音声の大きさを小さく調整するものがあった。しかしながら、この従来技術では、ナースコール親機のスピーカーから出力される音声の大きさが調整される場合、各ナースコール子機のマイクロホンが入力した音声の大きさを個別に調整しているわけではないので、異なるナースコール子機との間で通話路が形成され、そのナースコール子機のマイクロホンから入力した音声の大きさが適切なものでないときには、医療従事者は音量の調整を設定する操作をその都度毎に行わなければならなくなってしまうという問題があった。そのため、音量の調整の設定を行う頻度が増えて、医療従事者への負担が増してしまうという問題があった。
【０００６】
そこで、ナースコール子機のマイクロホンから入力される音声の音量を、医療従事者がナースコール親機にて設定すると、設定された音量を記憶しておき、通話路が形成された場合に、記憶されている音量で通話を行うようにしたナースコールシステムが知られている（特許文献１など）。
【先行技術文献】
【特許文献】
【０００７】
【特許文献１】特開２００５−８６２３０号公報
【発明の概要】
【発明が解決しようとする課題】
【０００８】
このようなナースコールシステムでは、ナースコール子機のマイクロホンから入力される音声の音量をナースコール親機にて設定することができるだけではなく、ナースコール親機のスピーカーから出力される音声の音量をナースコール親機にて設定することができることが一般的である。
【０００９】
しかしながら、ナースコール親機のスピーカーから出力される音声の音量が低めに設定されている場合には、全体的に音量が低くなってしまうため、殆どのナースコール子機のマイクロホンから入力される音声の音量を高く設定しなければならなくなってしまうという問題があった。また、ナースコール親機のスピーカーから出力される音声の音量が高めに設定されている場合には、全体的に音量が高くなってしまうため、殆どのナースコール子機のマイクロホンから入力される音声の音量を低く設定しなければならなくなってしまうという問題があった。
【００１０】
このように、ナースコール親機のスピーカーから出力される音声の音量の設定が変えられたにも関わらず、これに対してナースコール子機のマイクロホンから入力される音声の音量の設定により対応を行おうとすると、全てのナースコール子機のマイクロホンから入力される音声の音量を設定し直さなければならなくなってしまう。そのため、医療従事者への負担が増してしまうという問題があった。
【００１１】
本発明は、このような問題を解決するために成されたものであり、患者の声を医療従事者に聞き取り易い音量とする際に、医療従事者が音量の設定を行う頻度を抑えつつ、ナースコール子機のマイクロホンから入力される音声の音量をできるだけ標準値に調整できるようにすることを目的とする。
【課題を解決するための手段】
【００１２】
上述した課題を解決するために、本発明では、子機マイクロホンから入力される音声の音量を示す子機音量値が標準値以上であるか標準値以下であるかを判定し、標準値以上であるナースコール子機が所定の割合以上となった場合に、親機スピーカーから出力される音声の音量を示す親機音量値を子機音量値と標準値との差分の平均値だけ高くし、子機音量値が標準値以上のナースコール子機の子機音量値を標準値として、子機音量値が標準値未満のナースコール子機の子機音量値を差分の平均値だけ低くする調整を行うようにしている。一方、標準値以下であるナースコール子機が所定の割合以上となった場合に、子機音量値と標準値との差分の平均値だけ親機音量値を低くし、子機音量値が標準値以下のナースコール子機の子機音量値を標準値として、子機音量値が標準値を超えるナースコール子機の子機音量値を差分の平均値だけ高くする調整を行うようにしている。
【発明の効果】
【００１３】
上記のように構成した本発明によれば、子機音量値が設定されたナースコール子機が所定の割合以上存在する場合に、それらのナースコール子機の子機音量値が標準値に調整され、その他のナースコール子機についても適切な子機音量値に調整される。また、子機音量値の調整に応じて親機音量値が調整されるので、患者の声を医療従事者に聞き取り易い音量とすることができる。従って、医療従事者が音量の設定を行う頻度を抑えつつ、ナースコール子機のマイクロホンから入力される音声の音量をできるだけ標準値に調整することができる。
【図面の簡単な説明】
【００１４】
【図１】本実施形態によるナースコールシステムの構成例を示すブロック図である。
【図２】本実施形態によるナースコールシステムの音量の値の調整例を示す図である。
【発明を実施するための形態】
【００１５】
以下、本発明の一実施形態を図面に基づいて説明する。図１は、本実施形態によるナースコールシステムの構成例を示すブロック図である。図１に示すナースコールシステムは、患者の病床近傍に設置され、患者によって使用されるナースコール子機１と、医療従事者が常駐するナースステーションなどに設置され、医療従事者によって使用されるナースコール親機１０とを備えて構成されている。ここで、ナースコール子機１は、病院の施設内に複数設置されており、各患者の病床近傍にそれぞれ設置されている。
【００１６】
また、ナースコール子機１は、子機制御部２、呼出制御部３、子機インターフェース４、子機マイクロホン５、子機用スピーカー６を備えて構成されている。また、ナースコール親機１０は、親機制御部１１、親機インターフェース（特許請求の範囲の通話路形成部に該当する）１２、記憶部１３、提示部１４、応答操作部１５、親機マイクロホン１６、親機スピーカー１７、子機音量設定部１８、親機音量設定部１９、判定部２０、演算部２１を備えて構成されている。
【００１７】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、呼出ボタンなどにより構成されている。患者は、医療従事者を呼び出したい場合に、呼出操作部３を操作する。すると、子機制御部２は、呼出信号を生成する。ここで、呼出信号には、このナースコール子機１を他のナースコール子機１と識別するための子機識別情報が含まれる。
【００１８】
子機インターフェース４は、ナースコール子機１とナースコール親機１０とを接続して通信を行うためのものである。ここで、子機インターフェース４は、子機制御部２により生成された呼出信号をナースコール親機１０に出力する。また、ナースコール子機１とナースコール親機１０との間で通話路が形成された場合に、子機インターフェース４は、ナースコール親機１０へ音声信号を送信し、ナースコール親機１０から音声信号を受信する。また、ナースコール子機１とナースコール親機１０との間の通信は、有線や無線によって行われる。
【００１９】
また、ナースコール子機１とナースコール親機１０との間には、ナースコール子機１からの呼び出しを表示したり、病室内の患者の氏名などを表示したりする図示しない廊下灯が接続されている。また、ナースコール子機１とナースコール親機１０との間には、ナースコール子機１およびナースコール親機１０間の通話やデータの送受信に関する制御を行う図示しない制御機が接続されている。
【００２０】
子機マイクロホン５は、ナースコール子機１を使用する患者が発する音声を入力するためのものである。ここで、子機マイクロホン５は、ナースコール子機１の筐体に一体的に設けられたり、ナースコール子機１が接続された壁面などに別途設けられたりする。子機スピーカー６は、ナースコール親機１０から受信した音声信号を音声に変換して、ナースコール子機１を使用する患者に対して出力するためのものである。ここで、子機スピーカー６は、ナースコール子機１の筐体に一体的に設けられたり、ナースコール子機１が接続された壁面などに別途設けられたりする。
【００２１】
次に、ナースコール親機１０の各構成要素について説明する。親機制御部１１は、ナースコール親機１０の各構成要素を後述するように制御するためのものであり、ＣＰＵなどにより構成されている。親機インターフェース１２は、ナースコール親機１０とナースコール子機１とを接続して通信を行うためのものである。ここで、親機インターフェース１２は、ナースコール子機１から出力された呼出信号を入力する。親機インターフェース１２は、親機制御部１１の制御により、ナースコール子機１との間で通話路を形成する。また、ナースコール子機１との間で通話路が形成された場合に、親機インターフェース１２は、ナースコール子機１へ音声信号を送信し、ナースコール子機１から音声信号を受信する。
【００２２】
記憶部１３は、メモリやハードディスクドライブなどの記憶装置により構成されており、ナースコール親機１０に接続されているナースコール子機１の子機識別情報（例えば、ベッド番号など）と患者を識別する患者識別情報（例えば、患者氏名など）とを関連付けて記憶している。また、記憶部１３は、後述する子機音量値の標準値を記憶している。また、記憶部１３は、ナースコール子機１毎に個別に設定された子機音量値を記憶する。
【００２３】
提示部１４は、患者から呼び出しがあったことを報知するためのものであり、スピーカーなどの放音装置や、ＬＥＤなどのランプ、液晶ディスプレイなどの表示装置により構成される。ここで、親機インターフェース１２がナースコール子機１から呼出信号を入力すると、親機制御部１１は、呼出信号に含まれる子機識別情報を取得し、記憶部１３に記憶されている子機識別情報の中から一致する子機識別情報を特定して、特定した子機識別情報に関連付けて記憶されている患者識別情報を記憶部１３から読み出す。そして、親機制御部１１は、提示部１４を動作させ、スピーカーを鳴らしたり、ＬＥＤを点灯／点滅させたり、液晶ディスプレイに呼び出しが行われていることおよび患者識別情報を表示させたりすることで、報知を行う。また、提示部１４は、後述する親機音量設定部１９の操作を促す提示を行う。
【００２４】
応答操作部１５は、提示部１４によって呼び出しの報知が行われている状態で、呼び出しの報知に気付いた医療従事者によって操作されるものであり、提示部１４による報知を停止するためのものである。応答操作部１５が操作されると、親機制御部１１は、提示部１４の動作を停止し、提示部１４は報知を停止する。また、応答操作部１５の操作により、親機制御部１１は、親機インターフェース１２を制御して、ナースコール親機１０と子機識別情報により特定されるナースコール子機１との間の通話路を形成する。
【００２５】
親機マイクロホン１６は、ナースコール親機１０とナースコール子機１との間で通話路が形成されている場合に、ナースコール親機１０を使用する医療従事者が発する音声を入力するためのものである。親機スピーカー１７は、ナースコール親機１０とナースコール子機１との間で通話路が形成されている場合に、ナースコール子機１から送信され、親機インターフェース１２により受信した音声信号を音声に変換してナースコール親機１０の周囲に出力する。ここで、上述した応答操作部１５、親機マイクロホン１６、親機スピーカー１７は、ハンドセット装置などにより構成されており、親機マイクロホン１６および親機スピーカー１７を備えたハンドセットのオフフックにより応答操作部１５が操作されるようになっている。また、ハンドセットをオンフックすることにより、親機制御部１１は、親機インターフェース１２を制御して、ナースコール子機１との間の通話路を切断する。
【００２６】
子機音量設定部１８は、ナースコール親機１０との間で通話路が形成されているナースコール子機１の子機マイクロホン５が入力する音声の音量の値を示す子機音量値を設定するために操作されるもので、子機音量値を高く設定するためのボタンおよび子機音量値を低く設定するためのボタンを備えて構成されている。ナースコール親機１０とナースコール子機１との間で通話路が形成されている状態で、親機スピーカー１７から出力される音声を聴いている医療従事者は、患者の声が聞き取り難い場合に、子機音量設定部１８を操作して、子機音量値を高く設定する。すると、親機制御部１１は、子機音量値を高く調整する音量調整信号を生成して、親機インターフェース１２により通話路が形成されているナースコール子機１に送信する。
【００２７】
また、親機制御部１１は、通話路が形成されているナースコール子機１の子機識別情報に関連付けて新しく設定された子機音量値を記憶部１３に記憶させる。また、ナースコール親機１０とナースコール子機１との間で通話路が形成されている状態で、親機スピーカー１７から出力される音声を聴いている医療従事者は、患者の声が大き過ぎると感じた場合に、子機音量設定部１８を操作して、子機音量値を低く設定する。すると、親機制御部１１は、子機音量値を低く調整する音量調整信号を生成して、親機インターフェース１２により通話路が形成されているナースコール子機１に送信する。また、親機制御部１１は、通話路が形成されているナースコール子機１の子機識別情報に関連付けて新しく設定された子機音量値を記憶部１３に記憶させる。
【００２８】
子機インターフェース４により音量調整信号を入力したナースコール子機１では、子機制御部２は、音量調整信号により子機マイクロホン５から入力する音声の子機音量値を調整する。
【００２９】
親機音量設定部１９は、親機スピーカー１７が出力する音声の音量の値を示す親機音量値を設定するために操作されるもので、親機音量値を高く設定するためのボタンおよび親機音量値を低く設定するためのボタンを備えて構成されている。ナースコール親機１０とナースコール子機１との間で通話路が形成されている状態で、親機スピーカー１７から出力される音声を聴いている医療従事者は、患者の声が聞き取り難い場合に、親機音量設定部１９を操作して、親機音量値を高く設定する。すると、親機制御部１１は、親機音量値を高く調整する。一方、ナースコール親機１０とナースコール子機１との間で通話路が形成されている状態で、親機スピーカー１７から出力される音声を聴いている医療従事者は、患者の声が大き過ぎると感じた場合に、親機音量設定部１９を操作して、親機音量値を低く設定する。すると、親機制御部１１は、親機音量値を高く調整する。ここで、親機音量値は、全てのナースコール子機１に対して共通であるため、異なるナースコール子機１との間で通話路が形成された場合も新たに設定した親機音量値が有効となる。
【００３０】
判定部２０は、各ナースコール子機１の子機識別情報に関連付けて記憶部１３に記憶された子機音量値が標準値以上であるか否かを判定するとともに、各ナースコール子機１の子機識別情報に関連付けて記憶部１３に記憶されている子機音量値が標準値以下であるか否かを判定する。演算部２１は、子機音量値と標準値との差分をナースコール子機１毎に演算して、その平均値である差分平均値を演算する。
【００３１】
このように構成されたナースコールシステムにおいて、子機音量値が標準値以上であると判定部２０にて判定されたナースコール子機１が所定の割合以上となったか、子機音量値が標準値以下であると判定部２０にて判定されたナースコール子機１が所定の割合以上となったか、それ以外かを親機制御部１１にて判定する。ここで、所定の割合とは、例えば過半数であり、図２に示すように１０台のナースコール子機１（子機Ｎｏ．１から子機Ｎｏ．１０まで）が存在する場合には、６台以上が所定の割合となる。また、親機制御部１１による判定動作は、所定のタイミング（例えば、１回／日など）に行うようにしても良いし、子機音量設定部１８により子機音量値の設定が行われたタイミングで行うようにしても良い。
【００３２】
そして、子機音量値が標準値以上であると判定部２０により判定されたナースコール子機１が所定の割合以上となった場合に、親機制御部１１は、提示部１４を制御して、親機音量値を高く設定するように促す提示を行う。この状態で、親機音量設定部１９により親機音量値が高く設定されると、親機制御部１１は、演算部２１で得られた差分平均値だけ親機音量値を高く調整する。
【００３３】
また、親機制御部１１は、記憶部１３を参照して、子機音量値が標準値以上であるナースコール子機１の子機識別情報を特定し、特定した子機識別情報に関連付けて記憶されている子機音量値を標準値へと変更する。また、親機制御部１１は、特定した子機識別情報を持つナースコール子機１に対して、子機音量値を標準値とする音量調整信号を生成して、親機インターフェース１２により送信する。
【００３４】
また、親機制御部１１は、記憶部１３を参照して、子機音量値が標準値未満であるナースコール子機１の子機識別情報を特定し、特定した子機識別情報に関連付けて記憶されている子機音量値を演算部２１で得られた差分平均値だけ低く調整する。また、親機制御部１１は、特定した子機識別情報を持つナースコール子機１に対して、子機音量値を低く調整した値とする音量調整信号を生成して、親機インターフェース１２により送信する。
【００３５】
例えば、図２（Ａ）に示すように、１０台のナースコール子機１のうち８台のナースコール子機１（子機Ｎｏ．２、３、５、６、７、８、９、１０）の子機音量値が標準値（３０）以上である場合、親機制御部１１は、提示部１４を制御して、親機音量値を高く設定するように促す提示を行う。この状態で、親機音量設定部１９により親機音量値が高く設定されると、親機制御部１１は、演算部２１で得られた差分平均値（１０）だけ親機音量値を高く調整する。また、親機制御部１１は、子機音量値が標準値（３０）以上であるナースコール子機１（子機Ｎｏ．２、３、５、６、７、８、９、１０）を特定し、その子機音量値を標準値（３０）へと変更する。また、親機制御部１１は、特定したナースコール子機１に対して、子機音量値を標準値（３０）とする音量調整信号を生成して、親機インターフェース１２により送信する。
【００３６】
また、親機制御部１１は、子機音量値が標準値（３０）未満であるナースコール子機１（子機Ｎｏ．１、４）を特定し、その子機音量値を演算部２１で得られた差分平均値（１０）だけ低く調整する。また、親機制御部１１は、特定したナースコール子機１に対して、子機音量値を低く調整した値とする音量調整信号を生成して、親機インターフェース１２により送信する。ここで、子機音量設定部１８により設定可能な子機音量値は、最小値が１０であり、最大値が５０であって、１０刻みでの設定が可能である。また、親機制御部１１が調整可能な子機音量値には、このような制限は存在しない。
【００３７】
一方、子機音量値が標準値以下であると判定部２０により判定されたナースコール子機１が所定の割合以上となった場合に、親機制御部１１は、提示部１４を制御して、親機音量値を低く設定するように促す提示を行う。この状態で、親機音量設定部１９により親機音量値が低く設定されると、親機制御部１１は、演算部２１で得られた差分平均値だけ親機音量値を低く調整する。
【００３８】
また、親機制御部１１は、記憶部１３を参照して、子機音量値が標準値以下であるナースコール子機１の子機識別情報を特定し、特定した子機識別情報に関連付けて記憶されている子機音量値を標準値へと変更する。また、親機制御部１１は、特定した子機識別情報を持つナースコール子機１に対して、子機音量値を標準値とする音量調整信号を生成して、親機インターフェース１２により送信する。
【００３９】
また、親機制御部１１は、記憶部１３を参照して、子機音量値が標準値を超えるナースコール子機１の子機識別情報を特定し、特定した子機識別情報に関連付けて記憶されている子機音量値を演算部２１で得られた差分平均値だけ高く調整する。また、親機制御部１１は、特定した子機識別情報を持つナースコール子機１に対して、子機音量値を高く調整した値とする音量調整信号を生成して、親機インターフェース１２により送信する。
【００４０】
例えば、図２（Ｂ）に示すように、１０台のナースコール子機１のうち８台のナースコール子機１（子機Ｎｏ．１、２、３、４、５、７、８、９）の子機音量値が標準値（３０）以下になると、親機制御部１１は、提示部１４を制御して、親機音量値を低く設定するように促す提示を行う。この状態で、親機音量設定部１９により親機音量値が低く設定されると、親機制御部１１は、演算部２１で得られた差分平均値（１０）だけ親機音量値を低く調整する。また、親機制御部１１は、子機音量値が標準値（３０）以下であるナースコール子機１（子機Ｎｏ．１、２、３、４、５、７、８、９）を特定し、その子機音量値を標準値（３０）へと変更する。また、親機制御部１１は、特定したナースコール子機１に対して、子機音量値を標準値（３０）とする音量調整信号を生成して、親機インターフェース１２により送信する。
【００４１】
また、親機制御部１１は、子機音量値が標準値（３０）を超えるナースコール子機１（子機Ｎｏ．６、１０）を特定し、その子機音量値を演算部２１で得られた差分平均値（１０）だけ高く調整する。また、親機制御部１１は、特定したナースコール子機１に対して、子機音量値を高く調整した値とする音量調整信号を生成して、親機インターフェース１２により送信する。ここで、子機音量設定部１８により設定可能な子機音量値は、最小値が１０であり、最大値が５０であって、１０刻みでの設定が可能である。また、親機制御部１１が調整可能な子機音量値には、このような制限は存在しない。
【００４２】
以上詳しく説明したように、本実施形態によれば、子機マイクロホン５から入力される音声の音量を示す子機音量値が標準値以上であるか標準値以下であるかを判定部２０にて判定し、標準値以上であるナースコール子機１が所定の割合以上となった場合に、親機スピーカー１７から出力される音声の音量を示す親機音量値を高く設定するように促す提示を提示部１４にて行い、この状態で親機音量設定部１９により親機音量値が高く設定されると、演算部２１で求めた子機音量値と標準値との差分の平均値だけ親機音量値を高く調整し、子機音量値が標準値以上のナースコール子機１の子機音量値を標準値として、子機音量値が標準値未満のナースコール子機１の子機音量値を差分の平均値だけ低くする調整を行うようにしている。
【００４３】
一方、標準値以下であるナースコール子機１が所定の割合以上となった場合に、親機音量値を低く設定するように促す提示を提示部１４にて行い、この状態で親機音量設定部１９により親機音量値が低く設定されると、演算部２１で求めた子機音量値と標準値との差分の平均値だけ親機音量値を低く調整し、子機音量値が標準値以下のナースコール子機１の子機音量値を標準値として、子機音量値が標準値を超えるナースコール子機１の子機音量値を差分の平均値だけ高くする調整を行うようにしている。
【００４４】
これにより、子機音量値が設定されたナースコール子機１が所定の割合以上存在する場合に、親機音量値の設定を促す提示が行われ、その提示に従ってナースコール親機１０にて親機音量値の設定の操作を行うだけで、所定の割合以上のナースコール子機１の子機音量値が標準値に調整され、他のナースコール子機１についても適切な子機音量値に調整される。また、子機音量値の調整に応じて親機音量値が調整されるので、患者の声を医療従事者に聞き取り易い音量とすることができる。従って、医療従事者が音量の設定を行う頻度を抑えつつ、ナースコール子機１の子機マイクロホン５から入力される音声の音量をできるだけ標準値に調整することができる。
【００４５】
なお、前述した実施形態では、提示部１４にて親機音量設定部１９の操作を促しているが、これに限定されない。例えば、提示部１４にて親機音量設定部１９の操作を促す提示を行わせず、各ナースコール子機１の子機音量値およびナースコール親機１０の親機音量値を自動的に設定するようにしても良い。これにより、医療従事者が提示部１４の提示に従って親機音量設定部１９を操作しなくても、自動的に子機音量値および親機音量値が調整されるので、医療従事者への負担をより軽減することができる。
【００４６】
また、前述した実施形態では、各ナースコール子機１の子機マイクロホン５から入力する音声の音量の値の調整を各ナースコール子機１の子機制御部２が行っているが、これに限定されない。例えば、各ナースコール子機１から入力した音声信号の音量をナースコール親機１０にて調整するようにしても良い。
【００４７】
また、前述した実施形態では、判定部２０は、子機音量値が標準値以上であるか標準値以下であるかを判定するようにしているが、これに限定されない。例えば、判定部２０は、子機音量値が標準値を超えるか標準値未満であるかを判定するようにしても良いし、これらを組み合わせて判定するようにしても良い。
【００４８】
また、前述した実施形態では、応答操作部１５、親機マイクロホン１６、親機スピーカー１７がハンドセット装置を構成しているが、これに限定されない。例えば、応答操作部１５をボタン状としても良いし、親機マイクロホン１６および親機スピーカー１７をナースコール親機１０の筐体に一体的に設けるようにしても良い。なお、このような場合において、親機スピーカー１７と提示部１４を構成するスピーカーとを共通としても良い。
【００４９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００５０】
１    ナースコール子機
２    子機制御部
３    呼出操作部
４    子機インターフェース
５    子機マイクロホン
６    子機スピーカー
１０    ナースコール親機
１１    親機制御部
１２    親機インターフェース
１３    記憶部
１４    提示部
１５    応答操作部
１６    親機マイクロホン
１７    親機スピーカー
１８    子機音量設定部
１９    親機音量設定部
２０    判定部
２１    演算部
【図１】
0005535812.tif 000002
【図２】
0005535812.tif 000003